(57)【要約】【課題】従来よりも送信装置の電源のオン／オフを容易に実行することができる信号伝送システム、送信装置及び受信装置を提供する。【解決手段】受信装置１０４は、送信装置１０３の電源をオン又はオフするための電源スイッチ１４４と、電源スイッチ１４４のオン又はオフを監視するコンパレータ４１０と、電源スイッチ１４４がオフである場合に、コンソールの操作信号を送信する信号線に生じたコモンモード電圧を低減させ、電源スイッチ１４４がオンである場合に、コモンモード電圧を維持するフォトＭＯＳリレー４１１，４１２とを備える。送信装置１０３は、コモンモード電圧を監視するコンパレータ３１０と、コモンモード電圧が閾値未満である場合に、送信装置１０３の電源をオフにし、コモンモード電圧が閾値以上である場合に、送信装置１０３の電源をオンにするリレー３１１（接点３１３）とを備える。【選択図】図５
2016219906.tif 000002
【特許請求の範囲】
【請求項１】
サーバに接続された送信装置とコンソールに接続された受信装置とをネットワークケーブルで接続する信号伝送システムであって、
前記受信装置は、
前記送信装置の電源をオン又はオフするためのスイッチと、
前記スイッチのオン又はオフを監視する第１監視手段と、
前記スイッチがオフである場合に、前記コンソールの操作信号を送信する信号線に生じたコモンモード電圧を低減させ、前記スイッチがオンである場合に、前記コモンモード電圧を維持する電圧調整手段と、を備え、
前記送信装置は、
前記コモンモード電圧を監視する第２監視手段と、
前記第２監視手段で監視されたコモンモード電圧が閾値未満である場合に、前記送信装置の電源をオフにし、前記第２監視手段で監視されたコモンモード電圧が前記閾値以上である場合に、前記送信装置の電源をオンにする電源制御手段と、を備えることを特徴とする信号伝送システム。
【請求項２】
サーバに接続された送信装置とコンソールに接続された受信装置とをネットワークケーブルで接続する信号伝送システムであって、
前記受信装置は、
前記送信装置の電源をオン又はオフするためのスイッチと、
前記スイッチのオン又はオフを監視する第１監視手段と、
前記スイッチがオフである場合に、前記送信装置の電源をオフにするための制御信号をコモンモードで前記送信装置に送信し、前記スイッチがオンである場合に、前記制御信号を前記送信装置に送信することを停止する送信手段と、を備え、
前記送信装置は、
前記制御信号を検出すると共に、前記制御信号の検出又は非検出に応じて異なる電圧を出力する検出手段と、
前記検出手段から出力される電圧を監視する第２監視手段と、
前記第２監視手段で監視された電圧が閾値未満である場合に、前記送信装置の電源をオフにし、前記第２監視手段で監視された電圧が前記閾値以上である場合に、前記送信装置の電源をオンにする電源制御手段と、を備えることを特徴とする信号伝送システム。
【請求項３】
前記スイッチは、前記送信装置及び前記受信装置の電源をオン又はオフするためのスイッチであることを特徴とする請求項１又は２に記載の信号伝送システム。
【請求項４】
サーバに接続された送信装置とネットワークケーブルを介して接続されると共にコンソールに接続される受信装置であって、
前記送信装置の電源をオン又はオフするためのスイッチと、
前記スイッチのオン又はオフを監視する第１監視手段と、
前記スイッチがオフである場合に、前記コンソールの操作信号を送信する信号線に生じたコモンモード電圧を低減させ、前記スイッチがオンである場合に、前記コモンモード電圧を維持する電圧調整手段と、を備えることを特徴とする受信装置。
【請求項５】
サーバに接続された送信装置とネットワークケーブルを介して接続されると共にコンソールに接続される受信装置であって、
前記送信装置の電源をオン又はオフするためのスイッチと、
前記スイッチのオン又はオフを監視する第１監視手段と、
前記スイッチがオフである場合に、前記送信装置の電源をオフにするための制御信号をコモンモードで前記送信装置に送信し、前記スイッチがオンである場合に、前記制御信号を前記送信装置に送信することを停止する送信手段と、を備えることを特徴とする受信装置。
【請求項６】
コンソールに接続された受信装置とネットワークケーブルを介して接続されると共にサーバに接続される送信装置であって、
前記コンソールの操作信号を送信する信号線に生じたコモンモード電圧を監視する第２監視手段と、
前記第２監視手段で監視されたコモンモード電圧が閾値未満である場合に、前記送信装置の電源をオフにし、前記第２監視手段で監視されたコモンモード電圧が前記閾値以上である場合に、前記送信装置の電源をオンにする電源制御手段と、を備えることを特徴とする送信装置。
【請求項７】
コンソールに接続された受信装置とネットワークケーブルを介して接続されると共にサーバに接続される送信装置であって、
前記送信装置の電源をオフにするための制御信号を検出すると共に、前記制御信号の検出又は非検出に応じて異なる電圧を出力する検出手段と、
前記検出手段から出力される電圧を監視する第２監視手段と、
前記第２監視手段で監視された電圧が閾値未満である場合に、前記送信装置の電源をオフにし、前記第２監視手段で監視された電圧が前記閾値以上である場合に、前記送信装置の電源をオンにする電源制御手段と、を備えることを特徴とする送信装置。
【発明の詳細な説明】
【技術分野】
【０００１】
本発明は、信号伝送システム、送信装置及び受信装置に関する。
【背景技術】
【０００２】
従来より、サーバとコンソール（キーボード、マウス及びモニタを含む）との間の接続距離を延長する信号伝送システムが知られている（例えば、特許文献１，２参照）。
【０００３】
図１は、信号伝送システムの概略構成図である。信号伝送システム１０は、送信装置３及び受信装置４を備えている。送信装置３はサーバ１からＶＧＡケーブル６を介してビデオ信号を受信すると共にＵＳＢケーブル７を介してキーボード／マウス信号（以下、操作信号という）をサーバ１に送信する。送信装置３と受信装置４との間にはＬＡＮケーブル（即ちCat5ケーブル）５が接続されている。ＬＡＮケーブル５は４対のツイストペア線を含み、３対のツイストペア線がビデオ信号の送信に利用され、残り１対のツイストペア線が操作信号の送信に利用される。受信装置４には、コンソール２を構成するキーボード１１、マウス１２及びモニタ１３が接続されている。送信装置３はＡＣアダプタ８を介して電源を取得し、受信装置４はＡＣアダプタ９を介して電源を取得する。
【０００４】
図２は、信号伝送システムの概略回路図である。送信装置３は、ビデオ信号送信回路３１及び制御回路３２を備えている。ビデオ信号送信回路３１は、サーバ１からビデオ信号を受信し、当該ビデオ信号を差動信号に変換して受信装置４に送信する。制御回路３２は、操作信号を受信したり、サーバ１から受信された応答信号を受信装置４に送信する。ＡＣアダプタ８を介して取得された電源はビデオ信号送信回路３１及び制御回路３２に供給される。受信装置４は、ビデオ信号受信回路４１及び制御回路４２を備えている。ビデオ信号受信回路４１は、送信装置３から差動信号を受信し、差動信号をアナログのビデオ信号に変換して、モニタ１３に出力する。制御回路４２は、キーボード１１及びマウス１２からの操作信号を受信し、送信装置３へ送信すると共に送信装置３から応答信号を受信する。ＡＣアダプタ９を介して取得された電源はビデオ信号受信回路４１及び制御回路４２に供給される。
【先行技術文献】
【特許文献】
【０００５】
【特許文献１】特開２００４−３５６９３９号公報
【特許文献２】特開２０１１−４４８５１号公報
【発明の概要】
【発明が解決しようとする課題】
【０００６】
上述した信号伝送システムの運用を停止する場合、コンソール２を操作することによって、サーバ１の電源をオフすることはできるが、送信装置３及び受信装置４の電源はオフできない。特に、送信装置３は、人の出入りが規制されるサーバルーム等に設置されているので、容易に送信装置３の電源をオフにすることができない。従って、コンソール２を使用しない場合、受信装置４の電源をオフにすることはできるが、送信装置３は電源はオンにしたままの状態になってしまう。このため、サーバ１の電源をオフにしても送信装置３は電源をオンにしたまま待機することになり、送信装置３の省エネルギー化が図れないという課題がある。
【０００７】
さらに、障害の発生によりコンソール２の操作が不能になり、送信装置３をリセットする（つまり送信装置３の電源をオフ／オンする）場合に、管理者が送信装置３の設置場所に移動し、送信装置３をリセットしなければならず、復旧作業が不便であるという課題がある。
【０００８】
本発明は、従来よりも送信装置の電源のオン／オフを容易に実行することができる信号伝送システム、送信装置及び受信装置を提供することを目的とする。
【課題を解決するための手段】
【０００９】
上記目的を達成するため、明細書に開示された信号伝送システムは、サーバに接続された送信装置とコンソールに接続された受信装置とをネットワークケーブルで接続する信号伝送システムであって、前記受信装置は、前記送信装置の電源をオン又はオフするためのスイッチと、前記スイッチのオン又はオフを監視する第１監視手段と、前記スイッチがオフである場合に、前記コンソールの操作信号を送信する信号線に生じたコモンモード電圧を低減させ、前記スイッチがオンである場合に、前記コモンモード電圧を維持する電圧調整手段と、を備え、前記送信装置は、前記コモンモード電圧を監視する第２監視手段と、前記第２監視手段で監視されたコモンモード電圧が閾値未満である場合に、前記送信装置の電源をオフにし、前記第２監視手段で監視されたコモンモード電圧が前記閾値以上である場合に、前記送信装置の電源をオンにする電源制御手段と、を備えることを特徴とする。
【００１０】
上記目的を達成するため、明細書に開示された信号伝送システムは、サーバに接続された送信装置とコンソールに接続された受信装置とをネットワークケーブルで接続する信号伝送システムであって、前記受信装置は、前記送信装置の電源をオン又はオフするためのスイッチと、前記スイッチのオン又はオフを監視する第１監視手段と、前記スイッチがオフである場合に、前記送信装置の電源をオフにするための制御信号をコモンモードで前記送信装置に送信し、前記スイッチがオンである場合に、前記制御信号を前記送信装置に送信することを停止する送信手段と、を備え、前記送信装置は、前記制御信号を検出すると共に、前記制御信号の検出又は非検出に応じて異なる電圧を出力する検出手段と、前記検出手段から出力される電圧を監視する第２監視手段と、前記第２監視手段で監視された電圧が閾値未満である場合に、前記送信装置の電源をオフにし、前記第２監視手段で監視された電圧が前記閾値以上である場合に、前記送信装置の電源をオンにする電源制御手段と、を備えることを特徴とする。
【発明の効果】
【００１１】
本発明によれば、従来よりも送信装置の電源のオン／オフを容易に実行することができる。
【図面の簡単な説明】
【００１２】
【図１】信号伝送システムの概略構成図である。
【図２】信号伝送システムの概略回路図である。
【図３】本実施の形態に係る信号伝送システムの概略構成図である。
【図４】本実施の形態に係る信号伝送システムの概略回路図である。
【図５】制御回路１３２，１４２及び電源制御回路１３３，１４３の概略回路図である。
【図６】図６（Ａ）は、電源スイッチ１４４をオンにした場合の図５の回路動作を説明するフローチャートである。図６（Ｂ）は、電源スイッチ１４４をオフにした場合の図５の回路動作を説明するフローチャートである。
【図７】図５の電源制御回路１４３の変形例を示す図である。
【図８】図５の制御回路１３２，１４２及び電源制御回路１３３，１４３の変形例を示す図である。
【図９】図９（Ａ）は、電源スイッチ１４４をオンにした場合の図８の回路動作を説明するフローチャートである。図９（Ｂ）は、電源スイッチ１４４をオフにした場合の図８の回路動作を説明するフローチャートである。
【図１０】図８の電源制御回路１４３の変形例を示す図である。
【発明を実施するための形態】
【００１３】
以下、図面を参照しながら本発明の実施の形態を説明する。
【００１４】
図３は、本実施の形態に係る信号伝送システムの概略構成図である。信号伝送システム１００は、送信装置１０３及び受信装置１０４を備えている。送信装置１０３はサーバ１０１からＶＧＡケーブル１０６を介してビデオ信号を受信すると共にＵＳＢケーブル１０７を介してキーボード／マウス信号（以下、操作信号という）をサーバ１０１に送信する。送信装置１０３と受信装置１０４との間にはＬＡＮケーブル（即ちCat5ケーブル）１０５が接続されている。ＬＡＮケーブル１０５は４対のツイストペア線を含み、３対のツイストペア線がビデオ信号の送信に利用され、残り１対のツイストペア線（即ち、後述するキーボード／マウス信号線１５０）が操作信号の送信に利用される。受信装置１０４には、コンソール１０２を構成するキーボード１１１、マウス１１２及びモニタ１１３が接続されている。送信装置１０３はＡＣアダプタ１０８を介して電源を取得し、受信装置１０４はＡＣアダプタ１０９を介して電源を取得する。
【００１５】
図４は、本実施の形態に係る信号伝送システムの概略回路図である。送信装置１０３は、ビデオ信号送信回路１３１、制御回路１３２及び電源制御回路１３３を備えている。ビデオ信号送信回路１３１は、サーバ１０１からビデオ信号を受信し、当該ビデオ信号を差動信号に変換して受信装置１０４に送信する。制御回路１３２は、操作信号を受信したり、サーバ１０１から受信された応答信号を受信装置１０４に送信する。電源制御回路１３３は、操作信号の通信に利用されるキーボード／マウス信号線１５０のコモンモード電圧が閾値よりも高い場合や受信装置１０４から電源オフ信号を受信していない場合に、ＡＣアダプタ１０８からビデオ信号送信回路１３１及び制御回路１３２に電源を供給する。電源制御回路１３３は、キーボード／マウス信号線１５０のコモンモード電圧が閾値よりも低い場合や受信装置１０４から電源オフ信号を受信した場合に、ＡＣアダプタ１０８からビデオ信号送信回路１３１及び制御回路１３２への電源供給を遮断する。ＡＣアダプタ１０８を介して取得された電源（例えば、５Ｖ電圧）はビデオ信号送信回路１３１、制御回路１３２及び電源制御回路１３３に供給される。
【００１６】
受信装置１０４は、ビデオ信号受信回路１４１、制御回路１４２、電源制御回路１４３及び電源スイッチ１４４を備えている。ビデオ信号受信回路１４１は、送信装置１０３から差動信号を受信し、差動信号をアナログのビデオ信号に変換して、モニタ１１３に出力する。制御回路１４２は、キーボード１１１及びマウス１１２からの操作信号を受信し、送信装置１０３へ送信すると共に送信装置１０３から応答信号を受信する。電源スイッチ１４４は、送信装置１０３及び受信装置１０４の電源をオン又はオフにするためのスイッチである。
【００１７】
電源スイッチ１４４がオンの場合、電源制御回路１４３は、ＡＣアダプタ１０９からビデオ信号受信回路１４１及び制御回路１４２に電源を供給する。電源スイッチ１４４がオフの場合、電源制御回路１４３は、ＡＣアダプタ１０９からビデオ信号受信回路１４１及び制御回路１４２への電源供給を遮断し、且つキーボード／マウス信号線１５０のコモンモード電圧を上記閾値未満である約０Ｖに低減する又は送信装置１０３へ電源オフ信号を送信する。ＡＣアダプタ１０９を介して取得された電源（例えば、５Ｖ電圧）はビデオ信号受信回路１４１、制御回路１４２及び電源制御回路１４３に供給される。
【００１８】
尚、電源制御回路１３３，１４３は、常時通電されているが、後述するように極小規模の回路なので、低消費電力である。また、電源制御回路１３３，１４３は、マイコンなどを含まないので、マイコンの暴走やフリーズによって制御不能になる可能性は低い。
【００１９】
図５は、制御回路１３２，１４２及び電源制御回路１３３，１４３の概略回路図である。尚、図５では、図４のビデオ信号送信回路１３１、ビデオ信号受信回路１４１及びビデオ信号を送信するための３対のツイストペア線を省略している。
【００２０】
制御回路１３２は、マイコン３０１、ＲＳ４８５ドライバ・レシーバ３０２及び抵抗３０３，３０４を備えている。尚、制御回路１３２は、ノイズ除去用のフィルタなどの他の回路を備えていてもよい。マイコン３０１は、制御回路１３２の全体の動作を制御し、サーバ１０１からの応答信号をＲＳ４８５ドライバ・レシーバ３０２に送信し、受信装置１０４から受信した操作信号をＲＳ４８５ドライバ・レシーバ３０２を介して受信し、サーバ１０１に送信する。ＲＳ４８５ドライバ・レシーバ３０２は、応答信号を差動信号に変換し、キーボード／マウス信号線１５０を介して受信装置１０４に送信すると共に受信装置１０４から受信した差動信号を操作信号に変換してマイコン３０１に送信する。抵抗３０３，３０４は信号の反射を防ぐための抵抗である。
【００２１】
制御回路１４２は、マイコン４０１、ＲＳ４８５ドライバ・レシーバ４０２及び抵抗４０３，４０４を備えている。尚、制御回路１４２は、ノイズ除去用のフィルタなどの他の回路を備えていてもよい。マイコン４０１は、制御回路１４２の全体の動作を制御し、キーボード１１１及びマウス１１２からの操作信号をＲＳ４８５ドライバ・レシーバ４０２に送信し、送信装置１０３から受信した応答信号をＲＳ４８５ドライバ・レシーバ４０２を介して受信する。ＲＳ４８５ドライバ・レシーバ４０２は、操作信号を差動信号に変換し、キーボード／マウス信号線１５０を介して送信装置１０３に送信すると共に送信装置１０３から受信した差動信号を応答信号に変換してマイコン４０１に送信する。抵抗４０３，４０４は信号の反射を防ぐための抵抗である。
【００２２】
電源制御回路１３３は、第２監視手段としてのコンパレータ３１０、電源制御手段としてのリレー３１１、ダイオード３１２、接点３１３、及び抵抗３１４〜３１７を備えている。接点３１３は、リレー３１１に含まれている接点である。抵抗３１６及び３１７は、信号の反射を防ぐための抵抗である。
【００２３】
抵抗３１４及び３１５は、コンパレータ３１０に閾値となる電圧値（約１Ｖ）を提供する。コンパレータ３１０は、キーボード／マウス信号線１５０のコモンモード電圧を監視する。尚、ＲＳ４８５ドライバ・レシーバ３０２，４０２の動作中は、キーボード／マウス信号線１５０に約３Ｖのコモンモード電圧が発生している。
【００２４】
コンパレータ３１０は、正側電源端子、負側電源端子、＋入力端子、−入力端子及び出力端子を備えている。正側電源端子は電源（ＤＣ５Ｖ）に接続され、負側電源端子はグランドに接続されている。＋入力端子は抵抗３１４と抵抗３１５との間に接続され、−入力端子は抵抗３１６，３１７に接続され、出力端子はリレー３１１の一端及びダイオード３１２のアノードに接続されている。リレー３１１の他端は、電源（ＤＣ５Ｖ）及びダイオード３１２のカソードに接続されている。
【００２５】
キーボード／マウス信号線１５０のコモンモード電圧が閾値（約１Ｖ）以上である場合に、コンパレータ３１０の出力はＬＯＷ（０Ｖ）になり、リレー３１１はオンになる。リレー３１１がオンになると、接点３１３が閉じ、マイコン３０１及びＲＳ４８５ドライバ・レシーバ３０２に電源（ＤＣ５Ｖ）が供給される。一方、キーボード／マウス信号線１５０のコモンモード電圧が閾値（約１Ｖ）未満である場合に、コンパレータ３１０の出力はＨＩＧＨ（５Ｖ）になり、リレー３１１はオフになる。リレー３１１がオフになると、接点３１３が開き、マイコン３０１及びＲＳ４８５ドライバ・レシーバ３０２に電源（ＤＣ５Ｖ）が供給されなくなる。尚、ダイオード３１２は、逆電圧防止のために設けられている。
【００２６】
電源制御回路１４３は、第１監視手段としてのコンパレータ４１０、電圧調整手段としてのフォトＭＯＳ（Metal-Oxide-Semiconductor）リレー４１１，４１２、抵抗４１３，４１４及び電源スイッチ１４４を備えている。
【００２７】
抵抗４１３及び４１４は、コンパレータ３１０に閾値となる電圧値（約２．５Ｖ）を提供する。コンパレータ４１０は、電源スイッチ１４４の状態（つまり電源スイッチ１４４のオン又はオフ）を監視する。コンパレータ４１０は、正側電源端子、負側電源端子、＋入力端子、−入力端子及び出力端子を備えている。正側電源端子は電源（ＤＣ５Ｖ）に接続され、負側電源端子はグランドに接続されている。＋入力端子は電源スイッチ１４４と、マイコン４０１及びＲＳ４８５ドライバ・レシーバ４０２との間に接続され、−入力端子は抵抗４１３と抵抗４１４との間に接続され、出力端子はフォトＭＯＳリレー４１１，４１２に接続されている。
【００２８】
電源スイッチ１４４がオンである場合、コンパレータ４１０の＋入力端子が閾値（約２．５Ｖ）以上になり、コンパレータ３１０の出力がＨＩＧＨ（５Ｖ）になるので、フォトＭＯＳリレー４１１，４１２はオフになる。一方、電源スイッチ１４４がオフである場合、コンパレータ４１０の＋入力端子が閾値（約２．５Ｖ）未満になり、コンパレータ３１０の出力がＬＯＷ（０Ｖ）になるので、フォトＭＯＳリレー４１１，４１２はオンになる。これにより、キーボード／マウス信号線１５０がグランド４１６に接続され、キーボード／マウス信号線１５０のコモンモード電圧は強制的に０Ｖに下げられる。尚、コモンモード電圧が強制的に０Ｖに下げられても、ＲＳ４８５ドライバ・レシーバ３０２及び４０２はそれらの仕様により故障しない。
【００２９】
図６（Ａ）は、電源スイッチ１４４をオンにした場合の図５の回路動作を説明するフローチャートである。
【００３０】
電源スイッチ１４４をオンにすると、電源（ＤＣ５Ｖ）がマイコン４０１及びＲＳ４８５ドライバ・レシーバ４０２に供給され、マイコン４０１及びＲＳ４８５ドライバ・レシーバ４０２が作動し、キーボード／マウス信号線１５０に約３Ｖのコモンモード電圧が発生する（ステップＳ１）。
【００３１】
電源制御回路１４３では、コンパレータ４１０の＋入力端子は閾値（約２．５Ｖ）以上になり、コンパレータ４１０の出力がＨＩＧＨ（５Ｖ）になるので、フォトＭＯＳリレー４１１，４１２はオフになる（ステップＳ２）。電源制御回路１３３では、コモンモード電圧が閾値（約１Ｖ）以上であるので、コンパレータ３１０の出力はＬＯＷ（０Ｖ）になり、リレー３１１はオンになる（ステップＳ３）。接点３１３が閉じ、マイコン３０１及びＲＳ４８５ドライバ・レシーバ３０２に電源（ＤＣ５Ｖ）が供給される（ステップＳ４）。
【００３２】
従って、受信装置１０４の電源スイッチ１４４をオンにすると、自動的に送信装置１０３の電源もオンになる。
【００３３】
図６（Ｂ）は、電源スイッチ１４４をオフにした場合の図５の回路動作を説明するフローチャートである。
【００３４】
電源スイッチ１４４をオフにすると、電源（ＤＣ５Ｖ）がマイコン４０１及びＲＳ４８５ドライバ・レシーバ４０２に供給されなくなる（ステップＳ１１）。
【００３５】
電源制御回路１４３では、コンパレータ４１０の＋入力端子は閾値（約２．５Ｖ）未満になり、コンパレータ４１０の出力がＬＯＷ（０Ｖ）になるので、フォトＭＯＳリレー４１１，４１２はオンになる（ステップＳ１２）。キーボード／マウス信号線１５０がグランド４１６に接続され、キーボード／マウス信号線１５０のコモンモード電圧は強制的に０Ｖに下げられる（ステップＳ１３）。電源制御回路１３３では、コモンモード電圧が閾値（約１Ｖ）未満であるので、コンパレータ３１０の出力はＨＩＧＨ（５Ｖ）になり、リレー３１１はオフになる（ステップＳ１４）。接点３１３が開き、マイコン３０１及びＲＳ４８５ドライバ・レシーバ３０２に電源（ＤＣ５Ｖ）が供給されなくなる（ステップＳ１５）。
【００３６】
従って、受信装置１０４の電源スイッチ１４４をオフにすると、自動的に送信装置１０３の電源もオフになる。
【００３７】
このように、送信装置１０３の電源のオン／オフは受信装置１０４の電源スイッチ１４４のオン／オフに連動する。従って、操作者は、受信装置１０４の電源スイッチ１４４を使って、送信装置１０３の電源のオン／オフを容易に実行することができる。
【００３８】
尚、制御回路１３２，１４２の間を流れる操作信号及び応答信号はいずれも差動信号であり、キーボード／マウス信号線１５０のコモンモード電圧とは伝送路が異なるため、差動信号とコモンモード電圧とは相互干渉しない。電源制御回路１３３、キーボード／マウス信号線１５０、電源制御回路１４３及び不図示のグランドが、コモンモード回路のループを形成している。従って、電源制御回路１３３，１３４は、コモンモード電圧を伝送するための伝送路として機能しており、複数の信号を重畳する信号重畳回路や複数の信号を分離する信号分離回路とは異なる。
【００３９】
図５の回路では、送信装置１０３及び受信装置１０４の電源は連動しているが、例えば、図７に示すように、送信装置１０３の電源のオン／オフを制御するための電源スイッチ１４４に加えて、受信装置１０４の電源のオン／オフを制御するための電源スイッチ１４５を受信装置１０４に設けてもよい。この場合、送信装置１０３の電源だけ又は受信装置１０４の電源だけをオフにすることができる。尚、図７は、図５の電源制御回路１４３の変形例を示す図である。
【００４０】
図８は、図５の制御回路１３２，１４２及び電源制御回路１３３，１４３の変形例を示す図である。図５では、３Ｖのコモンモード信号を強制的に０Ｖに下げることにより、リレー３１１（つまり、接点３１３）をオフにしているが、図８では、電源オフ信号を受信装置１０４から送信装置１０３に送信することにより、リレー３１１（つまり、接点３１３）をオフにする。尚、図５と同一の回路要素については同一の符号を付し、その説明を省略する。
【００４１】
電源制御回路１３３は、抵抗３１６及び抵抗３１７とコンパレータ３１０の−入力端子との間にコモンモードの電源オフ信号を検出するための検出器３１８を備えている。検出器３１８は検出手段を構成する。
【００４２】
検出器３１８は、交流を通さないフィルタを有し、所定周波数の電源オフ信号を入力すると、コンパレータ３１０の閾値（１Ｖ）よりも小さい電圧（例えば０Ｖ）を出力する。一方、検出器３１８は、所定周波数の電源オフ信号を入力しない場合には、コンパレータ３１０の閾値（１Ｖ）よりも大きい直流電圧（例えば５Ｖ）を出力する。
【００４３】
電源制御回路１４３は、交流信号である電源オフ信号を発生する信号発生器４１７と、信号アンプ４１８と、抵抗４１９，４２０とを備えている。フォトＭＯＳリレー４１１，４１２、信号発生器４１７及び信号アンプ４１８は送信手段を構成する。フォトＭＯＳリレー４１１，４１２がオンになったときに、信号発生器４１７及び信号アンプ４１８は、キーボード／マウス信号線１５０を介してコモンモードで電源オフ信号を送信装置１０３に送信する。抵抗４１９，４２０は信号の反射を防ぐための抵抗である。尚、誤動作防止のために、電源オフ信号としてＤＴＭＦ（Dual-Tone Multi-Frequency；２つの周波数の合成信号）信号を利用することができる。
【００４４】
図９（Ａ）は、電源スイッチ１４４をオンにした場合の図８の回路動作を説明するフローチャートである。
【００４５】
電源スイッチ１４４をオンにすると、電源（ＤＣ５Ｖ）がマイコン４０１及びＲＳ４８５ドライバ・レシーバ４０２に供給され、マイコン４０１及びＲＳ４８５ドライバ・レシーバ４０２が作動する（ステップＳ２１）。
【００４６】
電源制御回路１４３では、コンパレータ４１０の＋入力端子は閾値（約２．５Ｖ）以上になり、コンパレータ４１０の出力がＨＩＧＨ（５Ｖ）になるので、フォトＭＯＳリレー４１１，４１２はオフになる（ステップＳ２２）。従って、電源オフ信号は送信装置１０３に送信されない。電源制御回路１３３では、検出器３１８は、電源オフ信号を入力しないので、コンパレータ３１０の閾値（１Ｖ）よりも大きい直流電圧（例えば５Ｖ）を出力する（ステップＳ２３）。コンパレータ４１０の＋入力端子の電圧が閾値（約１Ｖ）以上であるので、コンパレータ３１０の出力はＬＯＷ（０Ｖ）になり、リレー３１１はオンになる（ステップＳ２４）。接点３１３が閉じ、マイコン３０１及びＲＳ４８５ドライバ・レシーバ３０２に電源（ＤＣ５Ｖ）が供給される（ステップＳ２５）。
【００４７】
従って、受信装置１０４の電源スイッチ１４４をオンにすると、自動的に送信装置１０３の電源もオンになる。
【００４８】
図９（Ｂ）は、電源スイッチ１４４をオフにした場合の図８の回路動作を説明するフローチャートである。
【００４９】
電源スイッチ１４４をオフにすると、電源（ＤＣ５Ｖ）がマイコン４０１及びＲＳ４８５ドライバ・レシーバ４０２に供給されなくなる（ステップＳ３１）。
【００５０】
電源制御回路１４３では、コンパレータ４１０の＋入力端子は閾値（約２．５Ｖ）未満になり、コンパレータ４１０の出力がＬＯＷ（０Ｖ）になるので、フォトＭＯＳリレー４１１，４１２はオンになる（ステップＳ３２）。信号発生器４１７は、キーボード／マウス信号線１５０を介してコモンモードで電源オフ信号を送信装置１０３に送信する（ステップＳ３３）。電源制御回路１３３では、検出器３１８は、電源オフ信号を入力するので、コンパレータ３１０の閾値（１Ｖ）よりも小さい電圧（例えば０Ｖ）を出力する（ステップＳ３４）。コンパレータ４１０の＋入力端子が閾値（約１Ｖ）未満であるので、コンパレータ３１０の出力はＨＩＧＨ（５Ｖ）になり、リレー３１１はオフになる（ステップＳ３５）。接点３１３が開き、マイコン３０１及びＲＳ４８５ドライバ・レシーバ３０２に電源（ＤＣ５Ｖ）が供給されなくなる（ステップＳ３６）。
【００５１】
従って、受信装置１０４の電源スイッチ１４４をオフにすると、自動的に送信装置１０３の電源もオフになる。
【００５２】
このように、送信装置１０３の電源のオン／オフは受信装置１０４の電源スイッチ１４４のオン／オフに連動する。従って、操作者は、受信装置１０４の電源スイッチ１４４を使って、送信装置１０３の電源のオン／オフを容易に実行することができる。
【００５３】
尚、電源スイッチ１４４がオンである場合には、操作信号及び応答信号がキーボード／マウス信号線１５０に流れるが、電源オフ信号は送信装置１０３に送信されないので、操作信号及び応答信号と電源オフ信号とが干渉することはない。逆に、電源スイッチ１４４がオフである場合には、電源オフ信号がキーボード／マウス信号線１５０に流れるが、操作信号及び応答信号はキーボード／マウス信号線１５０に流れないので、操作信号及び応答信号と電源オフ信号とが干渉することはない。
【００５４】
図８の回路では、送信装置１０３及び受信装置１０４の電源は連動しているが、例えば、図１０に示すように、送信装置１０３の電源のオン／オフを制御するための電源スイッチ１４４に加えて、受信装置１０４の電源のオン／オフを制御するための電源スイッチ１４５を受信装置１０４に設けてもよい。この場合、送信装置１０３の電源だけ又は受信装置１０４の電源だけをオフにすることができる。尚、図１０は、図８の電源制御回路１４３の変形例を示す図である。
【００５５】
以上説明したように、本実施の形態によれば、受信装置１０４は、送信装置１０３の電源をオン又はオフするための電源スイッチ１４４と、電源スイッチ１４４のオン又はオフを監視するコンパレータ４１０と、電源スイッチ１４４がオフである場合に、コンソール１０２（キーボード１１１及びマウス１１２）の操作信号を送信するキーボード／マウス信号線１５０に生じたコモンモード電圧を低減させ、電源スイッチ１４４がオンである場合に、コモンモード電圧を維持するフォトＭＯＳリレー４１１，４１２とを備えている。送信装置１０３は、コモンモード電圧を監視するコンパレータ３１０と、コモンモード電圧が閾値未満である場合に、送信装置１０３の電源をオフにし、コモンモード電圧が前記閾値以上である場合に、送信装置１０３の電源をオンにするリレー３１１（接点３１３）とを備えている。従って、受信装置１０４の電源スイッチ１４４をオフにすると、自動的に送信装置１０３の電源がオフになり、電源スイッチ１４４をオンにすると、自動的に送信装置１０３の電源がオンになる。よって、操作者は、受信装置１０４の電源スイッチ１４４を使って、送信装置１０３の電源のオン／オフを容易に実行することができる。
【００５６】
また、本実施の形態によれば、受信装置１０４は、送信装置１０３の電源をオン又はオフするための電源スイッチ１４４と、電源スイッチ１４４のオン又はオフを監視するコンパレータ４１０と、電源スイッチ１４４がオフである場合に、送信装置１０３の電源をオフにするための電源オフ信号をコモンモードで送信装置１０３に送信し、電源スイッチ１４４がオンである場合に、電源オフ信号を送信装置１０３に送信することを停止するフォトＭＯＳリレー４１１，４１２及び信号発生器４１７とを備えている。送信装置１０３は、電源オフ信号を検出すると共に、電源オフ信号の検出又は非検出に応じて異なる電圧を出力する検出器３１８と、検出器３１８から出力される電圧を監視するコンパレータ３１０と、コンパレータ３１０で監視された電圧が閾値未満である場合に、送信装置１０３の電源をオフにし、コンパレータ３１０で監視された電圧が閾値以上である場合に、送信装置１０３の電源をオンにするリレー３１１（接点３１３）とを備えている。従って、受信装置１０４の電源スイッチ１４４をオフにすると、自動的に送信装置１０３の電源がオフになり、電源スイッチ１４４をオンにすると、自動的に送信装置１０３の電源がオンになる。よって、操作者は、受信装置１０４の電源スイッチ１４４を使って、送信装置１０３の電源のオン／オフを容易に実行することができる。
【００５７】
尚、本発明は、上述した実施の形態に限定されるものではなく、その要旨を逸脱しない範囲内で種々変形して実施することが可能である。
【符号の説明】
【００５８】
１００  信号伝送システム
１０３  送信装置
１０４  受信装置
１３３，１４３  電源制御回路
１４４  電源スイッチ
３１０，４１０  コンパレータ
３１１  リレー
３１８  検出器
４１１，４１２  フォトＭＯＳリレー
４１７  信号発生器
【図１】
2016219906.tif 000003
【図２】
2016219906.tif 000004
【図３】
2016219906.tif 000005
【図４】
2016219906.tif 000006
【図５】
2016219906.tif 000007
【図６】
2016219906.tif 000008
【図７】
2016219906.tif 000009
【図８】
2016219906.tif 000010
【図９】
2016219906.tif 000011
【図１０】
2016219906.tif 000012